(57)【要約】【課題】芝生面のドライスポットを抑制又は修復するための土壌改良剤組成物を提供。【解決手段】式（１）の非イオン性界面活性剤、及び式（２）の多価アルコール誘導体を含有し、非イオン性界面活性剤と多価アルコール誘導体の質量比が５０／５０〜９５／５である土壌改良剤組成物。      ＨＯ（ＥＯ）ａ（Ａ１Ｏ）ｂ（ＥＯ）ｃＨ      （１）（式中、ＥＯはオキシエチレン基、Ａ１Ｏは炭素数３〜４のオキシアルキレン基を示す。ａ＋ｃは３〜５０、ｂは１０〜５０であり、（ａ＋ｃ）／ｂが０．０５〜１．２である。）            Ｚ−｛Ｏ（Ａ２Ｏ）ｄ｝ｎＲ            （２）（式中、Ｚは３価又は４価の多価アルコールから水酸基を除いた残基、Ｒは水素原子又はメチル基、Ａ２Ｏは炭素数２〜４のオキシアルキレン基、ｄはオキシアルキレン基の平均付加モル数、ｎは多価アルコールの価数で、ｄ×ｎは５〜６０である。（Ａ２Ｏ）ｄは１種又は２種以上のオキシアルキレン基混合付加物である。）【選択図】なし【特許請求の範囲】
【請求項１】
式（１）で示される非イオン性界面活性剤、及び式（２）で示される多価アルコール誘導体を含有し、非イオン性界面活性剤と多価アルコール誘導体の質量比が５０／５０〜９５／５である土壌改良剤組成物。
ＨＯ（ＥＯ）ａ（Ａ１Ｏ）ｂ（ＥＯ）ｃＨ      （１）
（式中、ＥＯはオキシエチレン基を示す。Ａ１Ｏは炭素数３〜４のオキシアルキレン基を示し、２種のオキシアルキレン基の混合付加物でもよく、Ａ１Ｏが２種のオキシアルキレン基の混合付加物の場合にはその付加形態はランダム状付加でもブロック状付加でも良い。ａ＋ｃは３〜５０、ｂは１０〜５０であり、（ａ＋ｃ）／ｂは０．０５〜１．２である。）
Ｚ−｛Ｏ（Ａ２Ｏ）ｄ｝ｎＲ            （２）
（式中、Ｚは３価又は４価の多価アルコールから水酸基を除いた残基、Ｒは水素原子又はメチル基、Ａ２Ｏは炭素数２〜４のオキシアルキレン基を示し、ｄはオキシアルキレン基の平均付加モル数、ｎは多価アルコールの価数で、ｄ×ｎは５〜６０である。（Ａ２Ｏ）ｄは１種のオキシアルキレン基の付加物でもよく、２種以上のオキシアルキレン基の混合付加物でもよい。２種以上の混合付加の場合は、ランダム状付加でもブロック状付加でもよい。）
【発明の詳細な説明】
【技術分野】
【０００１】
本発明は、土壌改良剤組成物に関する。
【背景技術】
【０００２】
ゴルフ場のグリーン管理上のトラブルの一つに、グリーンの芝が局所的に枯れるドライスポットの問題がある。ドライスポットは砂の割合が大きいサンドグリーンで発生しやすい。これは、砂粒表面が撥水性の有機物に被覆されることで土壌中に水が浸透しにくくなることが原因と考えられている。この問題を解決するために、特許文献１にはポリオキシエチレンポリオキシプロピレンブロックコポリマー等の非イオン性界面活性剤とヒドロキシエチルセルロース、ポリエチレングリコール等の水溶性高分子の水溶液を散布する方法が開示されているが、浸透性の十分な改善は得られていない。また、特許文献２にはポリオキシアルキレンソルビタン脂肪酸エステル、塩化ベンザルコニウム等のカチオン系殺菌剤、及び金属キレート剤を含有する土壌処理剤組成物としての水溶液が開示されているが、この処理剤は浸透性は良好であるものの、水溶液の泡立ちが大きいため作業性が良好ではない。
【先行技術文献】
【特許文献】
【０００３】
【特許文献１】特開平１０−６０４３７号公報
【特許文献２】特開２００２−２０７４９号公報
【発明の概要】
【発明が解決しようとする課題】
【０００４】
本発明が解決しようとする課題は、土壌への水の浸透性を向上させ、芝生面のドライスポット発生を抑制あるいは修復することができる土壌改良剤組成物を提供することである。
【課題を解決するための手段】
【０００５】
本発明者は、上記課題を解決するために鋭意検討した結果、特定の非イオン性界面活性剤と特定の多価アルコール誘導体を組み合わせた土壌改良剤組成物によって、上記課題が解決できることを見出し、本発明を完成するに至った。
【０００６】
すなわち、本発明は、式（１）で示される非イオン性界面活性剤及び式（２）で示される多価アルコール誘導体を含有し、非イオン性界面活性剤と多価アルコール誘導体の質量比が５０／５０〜９５／５である、土壌改良剤組成物である。
ＨＯ（ＥＯ）ａ（Ａ１Ｏ）ｂ（ＥＯ）ｃＨ          （１）
（式中、ＥＯはオキシエチレン基を示す。Ａ１Ｏは炭素数３〜４のオキシアルキレン基を示し、２種のオキシアルキレン基の混合付加物でもよく、Ａ１Ｏが２種のオキシアルキレン基の混合付加物の場合には、その付加形態はランダム状付加でもブロック状付加でも良い。ａ＋ｃは３〜５０、ｂは１０〜５０であり、（ａ＋ｃ）／ｂが０．０５〜１．２である。）
Ｚ−｛Ｏ（Ａ２Ｏ）ｄ｝ｎＲ            （２）
（式中、Ｚは３価又は４価の多価アルコールから水酸基を除いた残基、Ｒは水素原子又はメチル基、Ａ２Ｏは炭素数２〜４のオキシアルキレン基を示し、ｄはオキシアルキレン基の平均付加モル数、ｎは多価アルコールの価数で、ｄ×ｎは５〜６０である。（Ａ２Ｏ）ｄは１種のオキシアルキレン基の付加物でもよく、２種以上のオキシアルキレン基の混合付加物でもよい。２種以上の混合付加の場合は、ランダム状付加でもブロック状付加でもよい。）
【発明の効果】
【０００７】
本発明の土壌改良剤組成物は、土壌の水浸透性を顕著に向上させることができるため、とくに芝生地におけるドライスポット発生の予防や、すでに発生したドライスポットの修復のための処理剤として有用である。また、当該土壌改良剤組成物は、希釈時あるいは散布時の泡立ちが少なく、取り扱いや作業性も良好である。
【発明を実施するための形態】
【０００８】
以下に、本発明について詳細に説明する。
本発明の土壌改良剤組成物は、非イオン性界面活性剤及び多価アルコール誘導体を含有する。
《非イオン性界面活性剤》
本発明の土壌改良剤組成物に用いる非イオン性界面活性剤は、式（１）で表される。
ＨＯ（ＥＯ）ａ（Ａ１Ｏ）ｂ（ＥＯ）ｃＨ          （１）
式（１）中、ＥＯはオキシエチレン基、Ａ１Ｏは炭素数３〜４のオキシアルキレン基を示し、具体的にはオキシプロピレン基及びオキシブチレン基が挙げられる。
ａ、ｃはオキシエチレン基の平均付加モル数、ａ＋ｃはオキシエチレン基の平均総付加モル数であり、具体的には３〜５０、好ましくは３〜２０である。ａ＋ｃが３未満又は５０を超えると、十分な浸透性向上効果が得られない。
ｂはオキシアルキレン基の平均付加モル数で、具体的には１０〜５０、好ましくは２５〜５０である。ｂが１０未満又は５０を超えると、十分な浸透性向上効果が得られない。
（ａ＋ｃ）／ｂは０．０５〜１．２で、好ましくは０．１〜０．９である。
（ａ＋ｃ）／ｂが０．０５未満では十分な浸透性向上効果が得られず、１．２を超えると、水に希釈する際の泡立ちが大きくなり作業性が良くない。
【０００９】
《多価アルコール誘導体》
本発明の土壌改良剤組成物に用いる多価アルコール誘導体は、式（２）で表される。
Ｚ−｛Ｏ（Ａ２Ｏ）ｄ｝ｎＲ            （２）
式中、Ｚは３価又は４価の多価アルコールから水酸基を除いた残基、Ｒは水素原子又はメチル基であり、多価アルコールとして具体的には、グリセリン、トリメチロールプロパン、ジグリセリン、ペンタエリスリトール、メチルグルコシド等が挙げられる。Ａ２Ｏは炭素数２〜４のオキシアルキレン基であり、具体的には、オキシエチレン基、オキシプロピレン基、オキシブチレン基が挙げられる。ｄはオキシアルキレン基の平均付加モル数、ｎは多価アルコールの価数であり、ｄ×ｎは５〜６０である。（Ａ２Ｏ）ｄは１種のオキシアルキレン基の付加物でもよく、２種以上のオキシアルキレン基の混合付加物でもよい。２種以上の混合付加の場合は、ランダム状付加でもブロック状付加でもよい。
本発明の多価アルコール誘導体は、好ましくは式（３）で示される化合物であり、さらに好ましくは式（４）で示される化合物である。
Ｚ１−｛Ｏ（ＥＯ）ｅ（ＰＯ）ｆ｝ｎＲ１        （３）
（式中、Ｚ１は３価又は４価の多価アルコールから水酸基を除いた残基、Ｒ１は水素原子又はメチル基、ＥＯはオキシエチレン基、ＰＯはオキシプロピレン基を示す。ｅはオキシエチレン基の平均付加モル数、ｆはオキシプロピレン基の平均付加モル数、ｎは多価アルコールの価数を示す。ｅ×ｎは５〜３０であり、ｆ×ｎは７〜３０である。｛｝内はランダム状付加である。）
Ｚ２−[｛Ｏ（ＥＯ）ｇ（ＰＯ）ｈ｝（ＢＯ）ｉ]ｎＲ２      （４）
（式中、Ｚ２はグリセリンから水酸基を除いた残基、Ｒ２は水素原子又はメチル基、ＥＯはオキシエチレン基、ＰＯはオキシプロピレン基、ＢＯはオキシブチレン基を示す。ｇはオキシエチレン基の平均付加モル数を示し、ｈはオキシプロピレン基の平均付加モル数を示し、ｉはオキシブチレン基の平均付加モル数を示し、ｎは多価アルコールの価数を示す。ｇ×ｎは５〜２０であり、ｈ×ｎは５〜２０であり、ｉ×ｎは３〜８である。{}内はランダム状付加である。）
【００１０】
《土壌改良剤組成物》
本発明の土壌改良剤組成物は、式（１）で表される非イオン性界面活性剤と式（２）で示される多価アルコール誘導体を、質量比５０／５０〜９５／５、好ましくは６０／４０〜９３／７の割合で含有する。質量比が５０／５０未満又は９５／５を超えると、十分な浸透性向上効果が得られない。
本発明の土壌改良剤組成物には、例えば水等の溶剤、塩類、殺菌剤、肥料、増粘剤、着色料、香料等、通常用いられる各種添加剤を、本発明の効果を損なわない範囲で適宜に配合してもよい。
本発明の土壌改良剤組成物は、例えば各配合成分を撹拌混合することによって調製され、さらに、溶液剤、懸濁剤、又は固形剤など、適宜の剤型とすることができる。
【００１１】
非イオン性界面活性剤と多価アルコールを、前記割合の範囲で混合し、さらに、水等で５００〜１０００倍に希釈して、非イオン性界面活性剤を０．０５〜０．１９質量％、多価アルコールを０．００５〜０．１質量％含有する土壌処理剤を得る。得られた処理剤は、例えば噴霧器等により、土壌に散布して使用される。本発明の土壌改良剤組成物は、希釈液として、土壌に対し０．５〜２Ｌ／ｍ２の割合で散布することが好ましい。
本発明の土壌改良剤組成物が好適に使用される対象としては、ゴルフ場のグリーンのほか、競技場や公園、ホテル等の観光・文化施設、一般家庭など、ドライスポットが発生しやすい芝生地を有する土壌が挙げられる。さらに、芝生地に限らず、畑作地、鉢土等の、水浸透性が低下した土壌における処理剤としても適用可能である。
【実施例】
【００１２】
以下、実施例を示して本発明をさらに具体的に説明するが、本発明は以下の実施例により限定されるものではない。
［調製例１］
表１に示す非イオン性界面活性剤Ａ−１（Ａ１Ｏ：オキシプロピレン基、ａ＋ｃ＝６、ｂ＝４２、（ａ＋ｃ）／ｂ＝０．１４）７５ｇと、表２に示す多価アルコール誘導体Ｂ−１（Ｚ：グリセリン残基、Ａ２Ｏ：オキシプロピレン基、オキシエチレン基とオキシプロピレン基のランダム状付加、Ｒ：水素原子、ｄ×ｎ＝３０、ｅ×ｎ＝２３、ｎ＝３）２５ｇを１００ｍＬビーカーに量りとり、４０℃で３０分間撹拌して土壌改良剤組成物１を得た。
【００１３】
［調製例２〜９］
表１に示す非イオン性界面活性剤、及び表２に示す多価アルコール誘導体を、表３に示す各量（ｇ）ずつ１００ｍＬビーカーに量りとり、４０℃で３０分間撹拌して土壌改良剤組成物２〜５及び比較組成物１〜４を得た。
［調製例１０］
表１に示す非イオン性界面活性剤Ａ−１を５０ｇ、ポリエチレングリコール（平均分子量：約２０，０００）を５０ｇ、１００ｍＬビーカーに量りとり、８０℃で３０分間撹拌して比較組成物５を得た。
［調製例１１］
ポリオキシエチレン（２０モル）ソルビタンモノステアレートを９０ｇ、ヤシアルキルジメチルアンモニウムクロリド（５０％水溶液）を１０ｇ、１００ｍＬビーカーに量りとり、４０℃で３０分間撹拌して比較組成物６を得た。
【００１４】
【表１】
2015074677.tif 000002
【００１５】
【表２】
2015074677.tif 000003
【００１６】
［実施例１］
組成物１の１ｇを水道水９９９ｇで希釈し、以下の手順で浸透性及び泡立ちを評価した。結果を表３に示す。
浸透性評価
直径２５ｍｍ、高さ１００ｍｍの樹脂製容器に、十分に乾燥した６号ケイ砂を深さ８５ｍｍとなるようにつめて、土壌改良剤組成物１の０．１％水溶液を０．７ｇ滴下し、１０分後に０．１％水溶液が浸透した深さ（ｍｍ）を測定する。
１０分後の浸透深さ      １０ｍｍ以上：浸透性良好
１０ｍｍ未満：浸透性不十分
泡立ち評価
土壌改良剤組成物１の０．１％水溶液７ｍｌを１６ｍｌ試験管にとり、１０回浸透させた後、１分間静置させた後の泡高さ（ｍｍ）を測定する。
１分後泡高さ            ５ｍｍ未満：低泡性良好
５ｍｍ以上：低泡性不十分
【００１７】
［実施例２〜５、比較例１〜６］
組成物２〜５、比較組成物１〜６をそれぞれ用いて、実施例１と同様の操作を行った。結果を表３に示す。
【００１８】
【表３】
2015074677.tif 000004
【００１９】
表３に示すように実施例１〜５はいずれも良好な浸透性と低泡性を示している。これに対して、比較例１は非イオン界面活性剤のみで多価アルコール誘導体を用いていないため、浸透性が不十分である。比較例２及び比較例３は多価アルコール誘導体のみで非イオン性界面活性剤を用いていないために、浸透性が不十分である。比較例４はアルキレンオキシド付加モル数が本発明の範囲を超える多価アルコール誘導体を用いているために、浸透性が不十分である。比較例５は本発明の多価アルコール誘導体ではなく水溶性高分子であるポリエチレングリコールを用いているので、浸透性が不十分である。比較例６は先行技術の土壌改良剤であり、浸透性は良好であるが、泡立ちが大きい。